(57)【要約】      （修正有）【課題】商品の取出しの際、屈まず、立ったままの姿勢で取り出すことができ、身障者や老人に動作環境のやさしいディスペンサの提供。【解決手段】内部が温度管理されてなる本体ケース１に設置され、本体ケース１内で垂直方向に移動するプレート１３と、一端部が巻取ドラム１１に固定され他端部がプレート１３の一端部に固定された外側ベルト９と、一端部が巻取ドラムに固定され他端部が本体ケースの上部に設けられたローラ５ｂを介してプレートの他端部に固定される内側ベルト１０と、本体ケースの上部に設けられた開閉自在のドア１７と、ドア１７にて区画、形成される取出しスペース内に設けられたセンサ２１とからなる。商品の取り出しが検知されると取り出された商品のスペース分プレートが上昇する。よって、ユーザは屈まないで済み、立ったままの姿勢で商品を取り出すことができる。商品の積層を可能とするから、商品を密に保存することができる。【選択図】図２
2018078969.tif 000002
【特許請求の範囲】
【請求項１】
内部が温度管理されてなる本体ケースに設置されるディスペンサであって、
上記本体ケース内で垂直方向に移動するプレートと、
一端部が巻取ドラムに固定され他端部が上記プレートの一端部に固定された一の搬送体と、
一端部が上記巻取ドラムに固定され他端部が上記本体ケースの上部に設けられたローラを介して上記プレートの他端部に固定される他の搬送体と、
上記本体ケースの上部に設けられた開閉自在のドアと、
上記ドアにて区画、形成される取出しスペース内に設けられたセンサとからなり、
商品の取り出しが検知されると取り出された商品のスペース分上記プレートが上昇することを特徴とするディスペンサ。
【請求項２】
請求項１記載のディスペンサにおいて、上記巻取ドラムを駆動するモータが単一であることを特徴とするディスペンサ。
【請求項３】
請求項１又は請求項２記載のディスペンサにおいて、他の搬送体の他端が上記本体ケースの下部に設けられたローラ間に掛け渡され、さらに上記本体ケースの上部に設けられたローラを介して上記プレートの他端部に固定されることを特徴とするディスペンサ。
【請求項４】
請求項１乃至請求項３のいずれか一記載のディスペンサにおいて、上記本体ケースの上部に上部開口が形成されることを特徴とするディスペンサ。
【請求項５】
請求項１乃至請求項４のいずれか一記載のディスペンサにおいて、上記一の搬送体と上記他の搬送体とが夫々単一のベルトからなり、上記プレートに対して対向して設けられることを特徴とするディスペンサ。
【請求項６】
請求項１乃至請求項４のいずれか一記載のディスペンサにおいて、上記一の搬送体と上記他の搬送体とが夫々複数のベルトからなり、上記プレートに対して対向して設けられることを特徴とするディスペンサ。
【請求項７】
請求項６記載のディスペンサにおいて、上記一の搬送体が外側に掛け渡された搬送体であり、上記他の搬送体が内側に掛け渡された搬送体であることを特徴とするディスペンサ。
【請求項８】
請求項６記載のディスペンサにおいて、上記一の搬送体が内側に掛け渡された搬送体であり、上記他の搬送体が外側に掛け渡された搬送体であることを特徴とするディスペンサ。
【請求項９】
請求項７又は請求項８記載のディスペンサにおいて、上記外側に掛け渡された搬送体及び内側に掛け渡された搬送体がいずれも２本ずつであることを特徴とするディスペンサ。
【請求項１０】
請求項１乃至請求項９のいずれか一記載のディスペンサにおいて、上記プレート上に商品が垂直方向に積層されることを特徴とするディスペンサ。
【発明の詳細な説明】
【技術分野】
【０００１】
本願発明はディスペンサに関し、例えば冷凍庫のような温度管理された本体ケース内に積層された状態で保管されているアイスクリームのような商品を個々に取り出すディスペンサに関する。
【背景技術】
【０００２】
アイスクリームの場合、個々に取り出すディスペンサを見かけることはあまりなく、従来殆どのものは冷凍庫内に多数のアイスクリームが保管されるものであり、人手により冷凍ストッカの蓋を開けて、購入したいアイスクリームを個々に取り出していた。また従来の冷凍ストッカは庫内に多様なアイスクリームが保管されていたため、顧客は冷凍ストッカの蓋を開けて、購入したいアイスクリームを物色しなければならなかった。
【０００３】
しかし、このようにすると開蓋により冷凍庫内の温度損失となる欠点があった。
【０００４】
そこでアイスクリーム商品を個々に取り出すディスペンサとして仕切りカーテンを具備した製品が提案されたが、顧客は商品の取出し時に屈み込まなければならず、とくに身障者や老人にとって取出し時に難があった。
【０００５】
同種の製品として清涼飲料、茶、ジュース等のディスペンサがある。しかしこの種のディスペンサは概ね傾斜レーンに商品が積層されており、取出し口が本体ケースの下部にあるため、やはり顧客は商品の取出し時に屈み込まなければならず、とくに身障者や老人にとって取出し時に難があった。
【０００６】
また商品の個別取出しについてみると、従来の同種製品では、羽根や仕切りカーテンの如き特別の装置を要するものであるため、商品の積層保存ができず、保存量が少ないので頻繁に補充する必要があり、また異なる形状の商品には対応できないという難があった。
【０００７】
さらに、この種のディスペンサは故障すると営業不能となるため、構造が複雑で精緻なものでなく単純なものが望まれる。
【先行技術文献】
【特許文献】
【０００８】
【特許文献１】実開平３−８２４６８号公報
【０００９】
【特許文献２】特開２００８−２１７４０３号公報
【発明の概要】
【発明が解決しようとする課題】
【００１０】
本願発明は上記背景に鑑み、アイスクリーム等の商品の取出しの際、屈まず、立ったままの姿勢で取り出すことができ、身障者や老人に動作環境のやさしいディスペンサを供することを目的とする。
【００１１】
本願発明はまた構造が単純なので故障の少ないディスペンサを供することをも目的とする。
【課題を解決するための手段】
【００１２】
上記目的達成のため、本願発明によるディスペンサは、内部が温度管理されてなる本体ケースに設置されるディスペンサであって、上記本体ケース内で垂直方向に移動するプレートと、一端部が巻取ドラムに固定され他端部が上記プレートの一端部に固定された一の搬送体と、一端部が上記巻取ドラムに固定され他端部が上記本体ケースの上部に設けられたローラを介して上記プレートの他端部に固定される他の搬送体と、上記本体ケースの上部に設けられた開閉自在のドアと、上記ドアにて区画、形成される取出しスペース内に設けられたセンサとからなり、商品の取り出しが検知されると取り出された商品のスペース分上記プレートが上昇することを特徴とする。
また、請求項１記載のディスペンサにおいて、上記巻取ドラムを駆動するモータが単一であることを特徴とする。
また、請求項１又は請求項２記載のディスペンサにおいて、他の搬送体の他端が上記本体ケースの下部に設けられたローラ間に掛け渡され、さらに上記本体ケースの上部に設けられたローラを介して上記プレートの他端部に固定されることを特徴とする。
また、請求項１乃至請求項３のいずれか一記載のディスペンサにおいて、上記本体ケースの上部に上部開口が形成されることを特徴とする。
また、請求項１乃至請求項４のいずれか一記載のディスペンサにおいて、上記一の搬送体と上記他の搬送体とが夫々単一のベルトからなり、上記プレートに対して対向して設けられることを特徴とする。
また、請求項１乃至請求項４のいずれか一記載のディスペンサにおいて、上記一の搬送体と上記他の搬送体とが夫々複数のベルトからなり、上記プレートに対して対向して設けられることを特徴とする。
また、請求項６記載のディスペンサにおいて、上記一の搬送体が外側に掛け渡された搬送体であり、上記他の搬送体が内側に掛け渡された搬送体であることを特徴とする。
また、請求項６記載のディスペンサにおいて、上記一の搬送体が内側に掛け渡された搬送体であり、上記他の搬送体が外側に掛け渡された搬送体であることを特徴とする。
また、請求項７又は請求項８記載のディスペンサにおいて、上記外側に掛け渡された搬送体及び内側搬送体がいずれも２本ずつであることを特徴とする。
また、請求項１乃至請求項９のいずれか一記載のディスペンサにおいて、上記プレート上に商品が垂直方向に積層されることを特徴とする。
【発明の効果】
【００１３】
本願発明によれば、プレートが一の搬送体と他の搬送体により保持され、上記搬送体の回転動作により上昇するので、積層されたアイスクリーム商品が重力に反してリフトアップされ、本体ケースの上部に設けられた取出し口から商品の取出しをすることができる。よって、ユーザは屈まないで済み、立ったままの姿勢で商品を取り出すことができるので、身障者や老人にもやさしい取出し動作環境を供することができる。
【００１４】
また、商品の個別取出しに当たり仕切り等の特別な装置を要する必要がなく、商品の積層を可能とするから、商品を密に保存することができ、また異なる形状の商品であっても積層保存を可能にすることができる。よって商品対応力が広範となり、また商品の保存量も最大化することができる。
【００１５】
さらに商品が載置されるプレートは、一端部が巻取ドラムに固定され他端部が上記プレートの一端部に固定された搬送体と、一端部が上記巻取ドラムに固定され他端部が上記本体ケースの上部に設けられたローラを介して上記プレートの他端部に固定される他の搬送体により保持されて移動するものであるから、プレート上昇時に水平状態を維持することができる。また、商品の上方への移動が単一のモータにより上昇されるため、複数のモータを使用することによる同期の必要がない。このため、商品の昇降動作機構を単純化することができ、故障を少なくすることが可能である。
【図面の簡単な説明】
【００１６】
【図１】本願発明によるディスペンサの実施の形態を示し、図２（Ａ）のＩ‐Ｉ視一部切断正面図である。
【図２】（Ａ）は図１の一部切断右側面図、（Ｂ）は（Ａ）の一部省略正面図である。
【図３】図１の平面図である。
【図４】プレートの下死点を示す図で、（Ａ）は図１Ａ‐Ａ視端面図、（Ｂ）は図１Ｂ‐Ｂ視端面図である。
【図５】プレートの上死点を示す図で、（Ａ）は図１Ａ‐Ａ視に相当する端面図、（Ｂ）は図１Ｂ‐Ｂ視に相当する端面図である。
【図６】本願発明によるディスペンサの上昇機構のフローチャートである。
【図７】ベルトによるプレートの保持を示す他の実施例を示す概略平面図である。
【図８】本願発明によるディスペンサの他の実施の形態を示し、図２（Ａ）のＩ‐Ｉ視一部切断正面図である。
【発明を実施するための形態】
【００１７】
図１乃至図８は本願発明によるディスペンサの各実施の形態を示す。なお、便宜上同一の機能を奏する部分には同一の符号を付してその説明を省略する。
【００１８】
１は内部が冷凍庫として温度管理されている本体ケースである。該本体ケース１内の４隅にはフレーム３が立設される。該フレーム３の上部及び下部には夫々上部ローラ５ａ、５ｂ及び下部ローラ７ａ、７ｂが回転可能に架設される。これらローラ５ａ、５ｂ、７ａ、７ｂ間には４本のベルト９、１０が移動自在に掛け渡され、これらのベルト９、１０に上記プレート１３が保持される。即ち、外側に掛け渡された外側ベルト９は、図２（Ｂ）に最も良く示されるように、上端部９ａが巻取ドラム１１に固着され、下端部９ｂがプレート１３の一端部に固着される。内側に掛け渡される内側ベルト１０は、図１に最も良く示されるように、上端部１０ａが巻取ドラム１１に固着され、上部ローラ５ａを経て他端が上記プレート１３の下方に位置する下部ローラ７ａ、７ｂ間に掛け渡され、さらに上方の上部ローラ５ｂを経て、下端部１０ｂが上記プレート１３の他端部に固着される。
【００１９】
１５は上記巻取ドラム１１を駆動する単一のモータである。１７は上記本体ケース１の上部に設けられ、回動により開閉自在となるドアである。該ドア１７にて塞がれる取出しスペース１９内にはロッドからなるセンサ２１が設けられる。ドア１７全「開」となった取出しスペース１９の前面に取出し口２０が形成される。
【００２０】
上記ドア１７の上部側面にはリミットスイッチ１（２３）が設けられ、反対側の下方側面にはリミットスイッチ２（２５）が設けられる。また上記ドア１７の背面にはリミットスイッチ３（２７）が設けられる。該リミットスイッチ３（２７）には上記したロッドセンサ２１が取り付けられる。
【００２１】
２４はリレーであり、上記リミットスイッチ１（２３）に電気的に接続され、図示しないリレー回路を構成する。２６はリレーであり、上記リミットスイッチ２（２５）に電気的に接続され、図示しないリレー回路を構成する。リレー２６とリミットスイッチ２（２５）とが接続された状態でコインが投入されると、ディスペンサ装置全体が通電される。しかし、それ以外のとき、即ちドア１７全「開」のとき及びドア１７完「閉」でリミットスイッチ２（２５）がオン（ＯＮ）であってもコインが投入されないとき（待機状態のとき）は通電されない構造となっている。
【００２２】
上記プレート１３は皿状を呈し、ここにアイスクリーム商品３３が上下方向に積層される。
【００２３】
２９は上記本体ケース１の上部カバーであり、温度管理されている本体ケース１内の温度損失がないよう上記本体ケース１に密閉に冠着される。
【００２４】
上記本体ケース１の下方には冷凍装置としての本体３１が本体ケース１と一体に連結されて設置されている。該本体３１の冷凍能力は上記本体ケース１内を通常時−１０℃乃至−２０℃程度に、強冷時には−３０℃程度まで冷凍することができる。
【００２５】
本願発明によるディスペンサの動作はドア１７の開閉に基づいてなされる。図６に基づき説明する。
ドア１７が閉のときはリミットスイッチ２（２５）はオン（ＯＮ）状態となっており待機状態となっている。この待機状態において、図示しない投入口よりコインが投入されると（Ｓ１）、リミットスイッチ２（２５）に接続されるリレー２６が作動し、待機状態の自己ホールド回路がコインが落下される瞬間にオン（ＯＮ）となり、このとき図示しないドアロックソレノイドが作動するのでドアロックが解除される（Ｓ２）。すると、ドアプッシャ（図示省略）の押圧によりドア１７が開き始める（Ｓ３）。すると、まずリミットスイッチ１（２３）がオフ（ＯＦＦ）となり（Ｓ４）、続いてドア１７が全開となると（Ｓ５）、リミットスイッチ２（２５）がオフ（ＯＦＦ）となる（Ｓ６）。これにより、リレー２６がオフ（ＯＦＦ）になり（Ｓ７）、自己ホールド回路がオフ（ＯＦＦ）となる（Ｓ８）。ドア１７の全開により、昇降機構への通電は切断される。このとき、ドアロックソレノイドもオフ（ＯＦＦ）となっている。
【００２６】
次いでユーザにより取出し口２０から商品３３ａが取り出される（Ｓ９）。すると、商品３３ａとセンサ２１との接触が解除されるので、リミットスイッチ３（２７）がオン（ＯＮ）となる（Ｓ１０）。次いでユーザによりドア１７の閉じが開始されると（Ｓ１１）、まずリミットスイッチ２（２５）がオン（ＯＮ）となり（Ｓ１２）、続けてドア１７が完閉されると（Ｓ１３）、リミットスイッチ１（２３）がオン（ＯＮ）となるので（Ｓ１４）、リレー２４が作動する。これによりモータ１５が稼働するので（Ｓ１５）、巻取ドラム１１が回転され、プレート１３が上昇する（Ｓ１６）。次いで次の商品３３ｂの上面がセンサ２１に接触されると（Ｓ１７）、リミットスイッチ３（２７）がオフ（ＯＦＦ）となるので（Ｓ１８）、モータ１５が停止され、プレート１３の上昇が停止する（Ｓ１９）。このとき、つまり、ドア１７が完全に閉となったときはリミットスイッチ２（２５）はオン（ＯＮ）状態なので待機状態となっている（Ｓ２０）。
【００２７】
次の顧客によりコインが投入されると、ステップ１（Ｓ１）に戻り、上記した一連の動作がなされる。
【００２８】
商品３３の補充は上部カバー２９を開け、上部開口１ａより補充する商品３３を次々に投入し積層する。この際、プレート１３の下降動作はモータ１５をオフ（ＯＦＦ）とし人力で投入してもよいし、モータ１５を逆回転させ下降させながら投入してもよい。
【００２９】
上記実施の形態によれば、プレート１３が外側ベルト９と内側ベルト１０により保持され、上記ベルト９、１０の回転動作により上昇するので、積層されたアイスクリーム商品３３が水平を保持した状態で重力に反してリフトアップされ、本体ケース１の上部に設けられた取出し口２０から商品３３の取出しをすることができる。よって、ユーザは屈まないで済み、立ったままの姿勢で商品３３を取り出すことができるので、身障者や老人にもやさしい取出し動作環境を供することができる。
【００３０】
商品３３の上方への移動が単一のモータ１５によりなされるため、複数のモータを使用することによる同期の必要がない。このため、商品３３の昇降動作機構を単純化することができ、故障を少なくすることが可能である。またプレート１３を保持する外側ベルト９、内側ベルト１０が各２本ずつとしてあるので、商品３３が積層載置されているプレート１３のバランスが取り易く、この面からも機械的故障を少なくすることができる。
【００３１】
さらに、商品の個別取出しに当たり仕切り等の特別な装置を要する必要がなく、商品の積層を可能とするから、商品を密に保存することができ、また異なる形状の商品であっても積層保存を可能にすることができる。よって商品対応力が広範となり、また商品の保存量も最大化することができる。
【００３２】
また、上部カバー２９を外したとき、本体ケース１の上部開口１ａにはベルトがないので、商品３３の補充に際し、上部開口１ａから投入すればよく、商品３３の補充が簡単かつ迅速に行えるという効果がある。
【００３３】
さらにまた、リフトアップにより商品３３ａを取り出すことができるため、取出し口２０を適宜高さに設定させておけば、オフィスライン上において、例えばデスクの脇に本ディスペンサを設置することができる。かかる場合は、商品購入のため外出せず、オフィスにおいて商品の購入をすることができる。
【００３４】
本願発明によるディスペンサは上記した実施の形態に限定されない。例えば本体ケースは市販又は既存の冷凍庫を用いることができる。また商品３３が積層されるプレート１３は対向する各１本ずつのベルト９ｃ、１０ｃで保持することができる。このような場合、図７に示すように各ベルト９ｃ、１０ｃは幅広のものとすることが望ましい。また外側ベルト９と内側ベルト１０との掛け渡しの仕方を上述とは逆とし、外側ベルト９の上端部９ａが巻取ドラム１１に固着され、上部ローラ５ａを経て他端が上記プレート１３の下方に位置する下部ローラ７ａ、７ｂ間に掛け渡され、さらに上方の上部ローラ５ｂを経て、下端部９ｂが上記プレート１３の他端部に固着されるようにし、内側ベルト１０の上端部１０ａが巻取ドラム１１に固着され、下端部１０ｂがプレート１３の一端部に固着されるようにしてもよい。
【００３５】
また対向する上部ローラの配設位置は同一の位置とすることができる。また商品はアイスクリームに限定されない。例えば温蔵庫を本体として用いれば、弁当の如く温かい状態で供する商品にも適用可能である。さらに、上記した実施の形態のように４本の内外のベルトでプレート１３を保持する場合、上昇移動時にプレート１３のバランスが良好に保たれるので、開放系容器に入れた汁物商品にも適用可能である。
【００３６】
また図８に示す如く、上部ローラ５ａに対面する位置にガイドローラ６を設けておけば、商品３３の補充時は図１に示す如くモータを内蔵させた巻取ドラム１１をオーバーハング状態にして上部開口１ａを開放にするが、商品の取出し運転中は上記巻取ドラム１１を一点鎖線で示す上部開口１ａの上方位置に移動させることができるので、装置全体の美映が良好になる効果がある。
【００３７】
さらに、上昇移動される商品の上面を検知することができれば、センサの種類は任意である。
【００３８】
ドアの開閉の仕方は任意であり、例えば上下動、水平動等による開閉であってもよい。
【００３９】
巻取ドラム１１及びモータ１５の設置位置も任意である。
【産業上の利用可能性】
【００４０】
本願発明は、例えばアイスクリーム商品のディスペンサとして活用することができる。
【符号の説明】
【００４１】
１      本体ケース
１ａ    上部開口
３      フレーム
５ａ    上部ローラ
５ｂ    上部ローラ
６      ガイドローラ
７ａ    下部ローラ
７ｂ    下部ローラ
９      外側ベルト
９ａ    上端部
９ｂ    下端部
９ｃ    外側ベルト
１０    内側ベルト
１０ａ  上端部
１０ｂ  下端部
１０ｃ  内側ベルト
１１    巻取ドラム
１３    プレート
１５    モータ
１７    ドア
１９    取出しスペース
２０    取出し口
２１    ロッドセンサ
２３    リミットスイッチ１
２４    リレー
２５    リミットスイッチ２
２６    リレー
２７    リミットスイッチ３
２９    上部カバー
３１    本体
３３    商品
３３ａ  商品
３３ｂ  商品
【図１】
2018078969.tif 000003
【図２】
2018078969.tif 000004
【図３】
2018078969.tif 000005
【図４】
2018078969.tif 000006
【図５】
2018078969.tif 000007
【図６】
2018078969.tif 000008
【図７】
2018078969.tif 000009
【図８】
2018078969.tif 000010